(57)【要約】  本開示における限定されない一面の切削インサートは、基体部及び切削部を備える。切削部は、上面、第１側面、第２側面、第３側面、第１切刃及び第２切刃を有する。第１切刃は、第１稜線に位置する。第２切刃は、第２稜線に位置する。上面は、第１傾斜面、一対の突起及び第１隆起部を有する。第１傾斜面は、第１稜線に沿って位置する。一対の突起は、第１傾斜面において第１稜線に沿った方向において並んで位置する。第１隆起部は、一対の突起よりも第１稜線から離れた側に位置する。第２切刃は、第１稜線から離れるにしたがって下方に向かって傾斜する。第１隆起部の上端が第２切刃よりも上方に位置する。
2020009002.tif 000002
【特許請求の範囲】
【請求項１】
上側面及び下側面を有する基体部と、
前記基体部から第１端に向かって突出した切削部と、を備え、
前記切削部は、
前記上側面から前記第１端に向かって延びた上面と、
前記第１端の側に位置して、前記上面と隣り合う第１側面と、
前記第１側面及び前記上面と隣り合う第２側面と、
前記第１側面及び前記上面と隣り合い、前記第２側面の反対側に位置する第３側面と、
前記上面及び前記第１側面の交わりに位置する第１稜線と、
前記上面及び前記第２側面の交わりに位置する第２稜線と、
前記上面及び前記第３側面の交わりに位置する第３稜線と、
前記第１稜線に位置する第１切刃と、
前記第２稜線に位置する第２切刃と、を有し、
前記上面は、
前記第１稜線に沿って位置するとともに、前記第１稜線から離れるにしたがって下方に向かって傾斜した第１傾斜面と、
前記第１傾斜面において前記第１稜線に沿った方向において並んで位置する一対の突起と、
前記一対の突起よりも前記第１稜線から離れた側において前記第３稜線に沿って位置する第１隆起部と、を有し、
前記第２切刃は、前記第１稜線から離れるにしたがって下方に向かって傾斜しており、
前記第１隆起部の上端が前記第２切刃よりも上方に位置している、切削インサート。
【請求項２】
前記第１隆起部は、前記第３稜線から離れている、請求項１に記載の切削インサート。
【請求項３】
前記第１隆起部は、上端面を有しており、
上面視した場合において、前記上端面は、前記第１稜線から離れるにしたがって記第２稜線から離れるように位置している、請求項１又は２に記載の切削インサート。
【請求項４】
前記上端面の上端の高さは、前記一対の突起の上端の高さと同じである、請求項３に記載の切削インサート。
【請求項５】
前記上端面は、前記第１稜線から離れるにしたがって下方に向かって傾斜しており、
前記第２側面の側から側面視した場合において、前記上端面が、前記第２切刃に対して平行である、請求項３又は４に記載の切削インサート。
【請求項６】
前記第１切刃は、前記第２稜線から離れるにしたがって下方に向かって傾斜している、請求項１〜５のいずれか１つに記載の切削インサート。
【請求項７】
前記上側面及び前記下側面の中間に位置する仮想平面が基準面であって、
前記第１側面の側から側面視した場合における前記第１切刃の前記基準面に対する傾斜角が、前記第２側面の側から側面視した場合における前記第２切刃の前記基準面に対する傾斜角よりも小さい、請求項６に記載の切削インサート。
【請求項８】
前記上面は、
前記第１稜線及び前記第２稜線が交わる角に位置する第１角と、
前記第１稜線及び前記第３稜線が交わる角に位置する第２角と、をさらに有し、
前記一対の突起は、上面視した場合に、
前記第１角のコーナ二等分線上に位置する第１突起と、
前記第２角のコーナ二等分線上に位置する第２突起と、を有している、請求項１〜７のいずれか１つに記載の切削インサート。
【請求項９】
前記第１突起は、上面視した場合に、
前記第１角のコーナ二等分線よりも前記第１稜線の側に位置して、前記第１稜線に向かって延びた第１前突起と、
前記第１角のコーナ二等分線よりも前記第２稜線の側に位置して、前記第２稜線に向かって延びた第１横突起と、を有している、請求項８に記載の切削インサート。
【請求項１０】
前記第１前突起の上端が、前記第１横突起の上端よりも上方に位置している、請求項９に記載の切削インサート。
【請求項１１】
前記第２突起は、上面視した場合に、
前記第２角のコーナ二等分線よりも前記第１稜線の側に位置して、前記第１稜線に向かって延びた第２前突起と、
前記第２角のコーナ二等分線よりも前記第３稜線の側に位置して、前記第３稜線に向かって延びた第２横突起と、を有し、
前記第２横突起の上端が、前記第１横突起の上端よりも上方に位置している、請求項９又は１０に記載の切削インサート。
【請求項１２】
前記上面は、上面視した場合に、前記第１隆起部及び前記第３稜線の間において前記第３稜線に沿って位置する第２隆起部をさらに有しており、
前記第２隆起部の上端が、前記第１隆起部の上端よりも上方に位置している、請求項１〜１１のいずれか１つに記載の切削インサート。
【請求項１３】
前記第２隆起部における前記第１端の側の端部は、前記第１隆起部における前記第１端の側の端部よりも前記第１稜線から離れて位置している、請求項１２に記載の切削インサート。
【請求項１４】
先端側に位置するポケットを有するホルダと、
前記ポケット内に位置する、請求項１〜１３のいずれか１つに記載の切削インサートとを有する切削工具。
【請求項１５】
被削材を回転させる工程と、
回転している前記被削材に請求項１４に記載の切削工具を接触させる工程と、
前記切削工具を前記被削材から離す工程とを備えた切削加工物の製造方法。
【発明の詳細な説明】
【関連出願の相互参照】
【０００１】
本出願は、２０１８年７月６日に出願された日本国特許出願２０１８−１２８９７９号の優先権を主張するものであり、この先の出願の開示全体を、ここに参照のために取り込む。
【技術分野】
【０００２】
本態様は、切削加工において用いられる切削インサートに関する。
【背景技術】
【０００３】
金属などの被削材を旋削加工する際に、例えば、特開平２−１０６２０４号公報（特許文献１）に記載の切削用チップが用いられる。特許文献１に記載のチップは、溝入れ加工及び突っ切り加工に用いることが可能である。特許文献１に記載のチップは、主切刃と、この主切刃の両脇に位置する副切刃と、主切刃及び副切刃に沿って位置するすくい面と、すくい面の中に位置する突起状ブレーカとを備える。ここで、突起状ブレーカは、中央突起及び脇突起によって構成される。
【発明の概要】
【０００４】
本開示における限定されない一面の切削インサートは、上側面及び下側面を有する基体部と、前記基体部から第１端に向かって突出した切削部と、を備える。前記切削部は、前記上側面から前記第１端に向かって延びた上面と、前記第１端の側に位置して、前記上面と隣り合う第１側面と、前記第１側面及び前記上面と隣り合う第２側面と、前記第１側面及び前記上面と隣り合い、前記第２側面の反対側に位置する第３側面と、前記上面及び前記第１側面の交わりに位置する第１稜線と、前記上面及び前記第２側面の交わりに位置する第２稜線と、前記上面及び前記第３側面の交わりに位置する第３稜線と、前記第１稜線に位置する第１切刃と、前記第２稜線に位置する第２切刃と、を有する。
【０００５】
前記上面は、前記第１稜線に沿って位置するとともに、前記第１稜線から離れるにしたがって下方に向かって傾斜した第１傾斜面と、前記第１傾斜面において前記第１稜線に沿った方向において並んで位置する一対の突起と、前記一対の突起よりも前記第１稜線から離れた側において前記第３稜線に沿って位置する第１隆起部と、を有する。そして、前記第２切刃は、前記第１稜線から離れるにしたがって下方に向かって傾斜しており、前記第１隆起部の上端が前記第２切刃よりも上方に位置する。
【図面の簡単な説明】
【０００６】
【図１】本開示における限定されない一面の切削インサートを示す斜視図である。
【図２】図１に示す切削インサートを上面側から見た正面図である。
【図３】図２に示す切削インサートをＡ１方向から見た側面図である。
【図４】図２に示す切削インサートをＡ２方向から見た側面図である。
【図５】図１に示す領域Ｂ１における拡大図である。
【図６】図２に示す領域Ｂ２における拡大図である。
【図７】図３に示す領域Ｂ３における拡大図である。
【図８】図４に示す領域Ｂ４における拡大図である。
【図９】図２に示す切削インサートにおけるＩＸ−ＩＸ断面の断面図である。
【図１０】図２に示す切削インサートにおけるＸ−Ｘ断面の断面図である。
【図１１】図２に示す切削インサートにおけるＸＩ−ＸＩ断面の断面図である。
【図１２】図６に示す切削インサートにおけるＸＩＩ−ＸＩＩ断面の断面図である。
【図１３】図６に示す切削インサートにおけるＸＩＩＩ−ＸＩＩＩ断面の断面図である。
【図１４】図６に示す切削インサートにおけるＸＩＶ−ＸＩＶ断面の断面図である。
【図１５】本開示における限定されない一面の切削工具を示す斜視図である。
【図１６】図１５に示す領域Ｂ５における拡大図である。
【図１７】本開示における限定されない一面の切削加工物の製造方法の一工程を示す概略図である。
【図１８】本開示における限定されない一面の切削加工物の製造方法の一工程を示す概略図である。
【図１９】本開示における限定されない一面の切削加工物の製造方法の一工程を示す概略図である。
【図２０】本開示における限定されない一面の切削加工物の製造方法の一工程を示す概略図である。
【発明を実施するための形態】
【０００７】
溝入れ加工及び突っ切り加工に用いられるチップ（切削インサート）には、これらの加工に加えて、例えば横送り（横挽き）加工のように主切刃に沿った方向が送り方向となる加工においても使用可能であることが求められる。特許文献１に記載のチップにおいては、主切刃に沿った方向が送り方向となる加工における切屑の排出性が不十分であった。そのため、主切刃に沿った方向が送り方向となる加工においても使用可能なチップが求められる。
【０００８】
＜インサート＞
以下、限定されない複数の実施形態の切削インサート１について、図面を用いて詳細に説明する。以下、切削インサート１は単にインサート１とも呼ばれる。但し、以下で参照する各図において、説明の便宜上、実施形態を説明する上で必要な主要部材のみを簡略化して示す。したがって、インサート１は、参照する各図に示されない任意の構成部材を備え得る。また、各図中の部材の寸法は、実際の構成部材の寸法及び各部材の寸法比率等を忠実に表したものではない。
【０００９】
実施形態のインサート１は、図１などに示すように、基体部３及び切削部５を備えてもよい。基体部３は、インサート１をホルダに取り付ける際にホルダに拘束される部位として用いられてもよい。
【００１０】
切削部５は、被削材の切削加工において被削材と接触する部位であって、切削加工において主たる役割を有する部位として用いられてもよい。なお、切削部５の数は、１つのみであってもよく、複数であってもよい。図１に示す限定されない一例のように、インサート１は、２つの切削部５を有してもよい。
【００１１】
基体部３の形状は特定の構成に限定されない。基体部３は、例えば、棒形状、多角板形状又は多角柱形状の構成であってもよい。図１に示す限定されない一例のように、基体部３は、四角板形状であってもよい。
【００１２】
基体部３は、図１に示す限定されない一例のように、第１主面７、第２主面９及び貫通孔１１を有してもよい。図３に示す限定されない一例のように、第１主面７は四角形であってもよい。また、第２主面９は、第１主面７の反対側に位置し、第１主面７と同様に四角形であってもよい。
【００１３】
貫通孔１１は、図１に示す限定されない一例のように、第１主面７及び第２主面９において開口してもよい。貫通孔１１は、第１主面７の中央及び第２主面９の中央において、それぞれ開口してもよい。
【００１４】
貫通孔１１は、インサート１をホルダに固定するために用いられてもよい。例えば、インサート１をホルダに取り付ける際において、上記の貫通孔１１にネジを挿入することによってインサート１をホルダに固定することが可能である。
【００１５】
基体部３は、上側面１３及び下側面１５を有してもよい。上側面１３及び下側面１５は、それぞれ平らな面であってもよい。また、上側面１３及び下側面１５は、インサートの長手方向に沿って、互いに平行に位置してもよい。上側面１３及び下側面１５は、図１に示す限定されない一例のように、基体部３における第１主面７及び第２主面９の間に位置する側面部分の一部を構成してもよい。
【００１６】
なお、実施形態の基体部３における上側面１３は、後述するようにインサート１をホルダに取り付けた際に、インサート１における上端であるように位置してもよい。また、基体部３における下側面１５は、後述するようにインサート１をホルダに取り付けた際に、インサート１における下端であるように位置してもよい。
【００１７】
基体部３の大きさは特に限定されない。第１主面７から第２主面９に向かう方向（図２における左右方向）での基体部３の最大幅は、例えば、２．９〜４．１ｍｍ程度に設定されてもよい。また、基体部３の延在する方向（図３における左右方向）での基体部３の幅は、例えば、８〜２０ｍｍ程度に設定されてもよい。
【００１８】
インサート１は、図１に示す限定されない一例のように、２つの切削部５を有してもよい。これら２つの切削部５の形状は特定の構成に限定されない。切削部５は、例えば、棒形状、多角板形状又は多角柱形状の構成であってもよい。図３に示す限定されない一例のように、２つの切削部５の形状は、それぞれ三角板形状であってもよい。インサート１における基体部３及び切削部５は、別体で形成されてもよく、また、一体的に形成されてもよい。
【００１９】
第１主面７から第２主面９に向かう方向での切削部５の幅Ｗ１は、第１主面７から第２主面９に向かう方向での基体部３の幅Ｗ２より小さくてもよい。基体部３の幅Ｗ２が相対的に大きい場合には、基体部３の肉厚が確保され易い。そのため、インサート１を安定してホルダに固定し易い。
【００２０】
また、切削部５の幅Ｗ１が相対的に小さい場合には、被削材の切削加工における加工幅の自由度が高い。なお、基体部３及び切削部５の幅が上記のように異なる場合には、この幅が異なる部分でインサート１における基体部３及び切削部５の領域を区分してもよい。
【００２１】
図３に示す限定されない一例のように、２つの切削部５の一つを第１切削部５ａ、２つの切削部５のもう一つを第２切削部５ｂとしてもよい。第１切削部５ａ及び第２切削部５ｂは、それぞれ基体部３から外方に向かって突出している。図３に示す限定されない一例においては、第１切削部５ａが、基体部３から左側に向かって突出しており、第２切削部５ｂが、基体部３から右側に向かって突出している。
【００２２】
以下の説明において、インサート１における第１切削部５ａが位置する左側の端部を第１端１ａ、インサート１における第２切削部５ｂが位置する右側の端部を第２端１ｂとする。
【００２３】
図３に示す限定されない一例のように、第１切削部５ａ及び第２切削部５ｂが、互いに反対側に向かって突出してもよい。インサート１を第１主面７の側から見た場合において、第１切削部５ａ及び第２切削部５ｂは、貫通孔１１の中心軸Ｘ１を基準として互いに回転対称となるように位置し、互いに概ね同様の構成を有してもよい。
【００２４】
以下では、２つの切削部５のうち基体部３から左側に向かって突出する第１切削部５ａの構成について詳細に説明し、２つの切削部５のうち基体部３から右側に向かって突出する第２切削部５ｂについては説明を省略する。
【００２５】
第１切削部５ａは、図４に示す限定されない一例のように、上面１７、第１側面１９、第２側面２１、第３側面２３及び下面２５を有してもよい。図３に示す限定されない一例のように、上面１７は、基体部３の上側面１３に接続され、この上側面１３から第１端１ａに向かって突出してもよい。
【００２６】
図３に示す限定されない一例のように、第１側面１９は、第１端１ａの側に位置し、上面１７と隣り合ってもよい。図３に示す限定されない一例のように、第２側面２１は、第１側面１９及び上面１７と隣り合ってもよい。第２側面２１は、基体部３の第１主面７に接続され、この第１主面７から第１端１ａに向かって突出してもよい。
【００２７】
第１側面１９及び第２側面２１は、図５に示す限定されない一例のように、それぞれ概ね平面形状であってもよい。第１側面１９及び第２側面２１は、直接に接続してもよく、また、第１側面１９及び第２側面２１の間に、これら２つの平面を接続する曲面が位置してもよい。
【００２８】
第３側面２３は、図６に示す限定されない一例のように、第１側面１９及び上面１７と隣り合い、第２側面２１の反対側に位置してもよい。第３側面２３は、基体部３の第２主面９に接続されてもよく、この第２主面９から第１端１ａに向かって突出してもよい。また、第３側面２３は、概ね平面形状であってもよい。
【００２９】
下面２５は、図１に示す限定されない一例のように、第１側面１９、第２側面２１及び第３側面２３を間に介して上面１７と隣り合ってもよい。下面２５は、基体部３の下側面１５に接続されてもよく、この下側面１５から第１端１ａに向かって突出してもよい。
【００３０】
第１切削部５ａは、第１稜線２７、第２稜線２９及び第３稜線３３を有してもよい。図２に示す限定されない一例のように、第１稜線２７は、上面１７及び第１側面１９の交わりに位置してもよい。図２に示す限定されない一例のように、第２稜線２９は、上面１７及び第２側面２１の交わりに位置してもよい。図２に示す限定されない一例のように、第３稜線３３は、上面１７及び第３側面２３の交わりに位置してもよい。
【００３１】
第１切削部５ａは、第１切刃３５及び第２切刃３７を有してもよい。第１切刃３５は、第１稜線２７の少なくとも一部に位置してもよい。このとき、第１切刃３５は、第１稜線２７の全体に位置してもよく、また、第１稜線２７の一部のみに位置してもよい。図２に示す限定されない一例においては、第１稜線２７の全体に第１切刃３５が位置する。
【００３２】
第２切刃３７は、第２稜線２９の少なくとも一部に位置してもよい。このとき、第２切刃３７は、第２稜線２９の全体に位置してもよく、また、第２稜線２９の一部のみに位置してもよい。図２に示す限定されない一例においては、第２稜線２９の一部のみに第２切刃３７が位置する。
【００３３】
図２に示す限定されない一例のように、第２切刃３７は、第２稜線２９のうち、少なくとも第１端１ａの側の端部を含むように位置してもよい。この場合には、図２に示す限定されない一例における第２切刃３７は、第１切刃３５に接続されてもよい。また、図５に示す限定されない一例のように、第１側面１９及び第２側面２１が概ね平面形状であって、第１切刃３５及び第２切刃３７が、それぞれ概ね直線形状であってもよい。
【００３４】
第１切刃３５は、例えば溝入れ加工及び突っ切り加工において主に機能する切刃として用いられてもよい。このとき、第２切刃３７は、第１切刃３５による切削加工を補助する切刃として用いられてもよい。また、第２切刃３７は、例えば横送り加工において主に機能する切刃として用いられてもよい。このとき、第１切刃３５は、第２切刃３７による切削加工を補助する切刃として用いられてもよい。
【００３５】
第２切刃３７は、図７に示す限定されない一例のように、第１稜線２７から離れるにしたがって下方に向かって傾斜してもよい。第２切刃３７が上記の構成である場合には、第２切刃３７で生じた切屑が第１端１ａから離れた方向に進行し易い。そのため、第２端１ｂにおいて切屑の排出性が高い。
【００３６】
第１切削部５ａは、第３稜線３３の少なくとも一部に位置する第３切刃３９をさらに有してもよい。例えば、第３切刃３９は、第３稜線３３のうち、少なくとも第１端１ａの側の端部を含むように位置してもよい。このように第３切刃３９が位置する場合には、第３切刃３９は、第１切刃３５に接続されてもよい。
【００３７】
また、第３側面２３が概ね平面形状である場合には、第３切刃３９が概ね直線形状であってもよい。第１切刃３５が主に機能する切刃として用いられる場合においては、第３切刃３９は、第１切刃３５による切削加工を補助する切刃として用いられてもよい。
【００３８】
第１側面１９及び第２側面２１が、平面形状である一方で、実施形態における上面１７は、平面形状ではなく凹凸形状である部位を有してもよい。具体的には、上面１７は、第１傾斜面４１と、一対の突起４３と、第１隆起部４５と、を有してもよい。
【００３９】
第１傾斜面４１は、第１稜線２７に沿って位置し、第１稜線２７から離れるにしたがって下方に向かって傾斜してもよい。第１傾斜面４１は、いわゆるすくい面として機能してもよい。例えば、第１傾斜面４１がすくい面として機能する場合には、第１切刃３５で生じた切屑を第１傾斜面４１に接触させることによって、切屑の流れる方向が安定する。第１傾斜面４１は、平面形状であってもよく、また、曲面形状であってもよい。図５に示す限定されない一例における第１傾斜面４１は平面形状である。
【００４０】
一対の突起４３は、第１傾斜面４１において、第１稜線２７に沿った方向に並んで位置してもよい。一対の突起４３は、いわゆるブレーカ突起として機能してもよい。例えば、一対の突起４３がブレーカ突起として機能する場合には、第１切刃３５で生じた切屑を一対の突起４３に接触させることによって、第１切刃３５に直交する方向から見た場合において切屑を湾曲させることが可能である。これにより、切屑の進行方向が安定する。
【００４１】
第１隆起部４５は、一対の突起４３よりも第１稜線２７から離れた側において第３稜線３３に沿って位置してもよい。第１隆起部４５は、第１側面１９の側から側面視した場合において、一対の突起４３の間に位置してもよい。第１隆起部４５が上記のように位置する場合には、第１切刃３５で生じて一対の突起４３の間を通過する切屑が、第１隆起部４５において湾曲され易い。そのため、切屑の排出性が高い。
【００４２】
具体的には、図６に示す限定されない一例のように、第１隆起部４５における第１端１ａの側の端部４５ｂが一対の突起４３の間に位置してもよい。このとき、第１隆起部４５は、第３稜線３３から離れて位置してもよい。第１隆起部４５における第１端１ａの側の端部４５ｂが上記のように位置する場合には、第１切刃３５で生じて一対の突起４３の間を通過する切屑が、第１隆起部４５において湾曲され易い。
【００４３】
実施形態のインサート１において、第１隆起部４５の上端４５ａが第２切刃３７よりも上方に位置してもよい。言い換えれば、図７に示す限定されない一例のように第２側面２１の側から側面視した場合において、第１隆起部４５の上端４５ａが第２切刃３７よりも上方に位置し、第１隆起部４５の上端４５ａが視認可能であってもよい。
【００４４】
第１隆起部４５が上記の構成である場合には、第２切刃３７で生じた切屑が第１隆起部４５に安定して当接し易い。この場合には、第２切刃３７で生じた切屑が安定してカールし易いことから、切屑の排出性が高い。
【００４５】
実施形態のインサート１においては、上記の通り、第２切刃３７が第１稜線２７から離れるにしたがって下方に向かって傾斜し、且つ、第１隆起部４５の上端４５ａが第２切刃３７よりも上方に位置してもよい。そのため、第１切刃３５及び第２切刃３７で生じた切屑が、それぞれ安定して排出され易い。
【００４６】
第１隆起部４５における上端部分は、２つの面領域が交わることによる稜線によって構成されてもよく、また、面によって構成されてもよい。すなわち、第１隆起部４５は、図５に示す限定されない一例のように上端面４７を有してもよい。なお、ここで上端面４７とは、第１隆起部４５の表面を構成する面領域のうち、最も上端側に位置する面領域を意味する。
【００４７】
第１隆起部４５が上端面４７を有する場合において、第１隆起部４５を上面視した際に、上端面４７が第１稜線２７から離れるにしたがって第２稜線２９から離れるように位置してもよい。上端面４７が上記の構成である場合には、第１隆起部４５のうち第１端１ａに近い側において、第２切刃３７で生じた切屑が安定して第１隆起部４５に接触し易い。また、第１隆起部４５のうち第１端１ａから離れた側において、第２切刃３７で生じて第１端１ａから離れる方向へと流れる切屑の流れるスペースが広く確保され易い。そのため、第２切刃３７で生じた切屑の排出性がさらに高い。
【００４８】
上端面４７の上端は、一対の突起４３の上端４３ａより上方に位置してもよい。また、上端面４７の上端の高さは、図７に示す限定されない一例のように、一対の突起４３の上端４３ａの高さと同じであってもよい。なお、ここで上端面４７の上端とは、上端面４７における最も上方に位置する部分であり、図７に示す一例においては、第１隆起部４５における上端４５ａが相当している。また、一対の突起４３の上端４３ａとは、一対の突起４３のそれぞれにおける、最も上方に位置する部分を意味する。
【００４９】
一対の突起４３の上端４３ａ及び第１隆起部４５の上端４５ａの高さが同じである場合には、一対の突起４３及び第１隆起部４５の両方で安定して切屑が湾曲され易い。そのため、切屑の排出性がより高い。なお、一対の突起４３の上端４３ａ及び第１隆起部４５の上端４５ａの高さが同じであるとは、厳密な意味で高さが同じである必要はない。下側面１５から上端４３ａまでの高さと、下側面１５から上端４５ａまでの高さと、の差が、０．０５ｍｍ程度であっても両者の高さが同じであると見做してもよい。
【００５０】
上端面４７は、図７に示す限定されない一例のように、第１稜線２７から離れるにしたがって下方に向かって傾斜していてもよい。上端面４７が上記の構成である場合には、第１隆起部４５のうち第１端１ａに近い側において、第１隆起部４５における第１端１ａの側の上端部分の高さが高い。そのため、第１切刃３５で生じた切屑が安定して第１隆起部４５に接触し易い。
【００５１】
また、第１隆起部４５のうち第１端１ａから離れた側においては、第１切刃３５で生じて第１端１ａから離れる方向へと流れる切屑の流れるスペースが広く確保され易い。そのため、第１切刃３５で生じた切屑の排出性がさらに高い。
【００５２】
図７に示す限定されない一例のように、上端面４７及び第２切刃３７がそれぞれ第１稜線２７から離れるにしたがって下方に向かって傾斜してもよい。このとき、第２側面２１の側から側面視した場合において、上端面４７が、第２切刃３７に対して平行であってもよい。
【００５３】
上端面４７が上記の構成である場合には、第２切刃３７で生じた切屑の一部が第１隆起部４５で湾曲されるとともに、第２切刃３７で生じた切屑の一部が第１隆起部４５を乗り越える、ということが避けられ易い。そのため、切屑の流れが円滑になり易く、切屑の詰まりが生じにくい。
【００５４】
上面１７における第１隆起部４５は、第２稜線２９に接してもよく、また、図６に示す限定されない一例のように第２稜線２９から離れてもよい。
【００５５】
第１切刃３５は、下側面１５に対する高さが一定であって傾斜しない構成であってもよく、また、第２稜線２９から離れるにしたがって下方に向かって傾斜した構成であってもよい。図８に示す限定されない一例においては、第１切刃３５が、第２稜線２９から離れるにしたがって下方に向かって傾斜した構成である。
【００５６】
以下の説明において、上側面１３及び下側面１５の中間に位置する仮想平面を基準面Ｓ１とする。また、図７及び図８に示す限定されない一例のように、この基準面Ｓ１に平行な仮想平面を副基準面Ｓ２、第１側面１９の側から側面視した場合における第１切刃３５の副基準面Ｓ２に対する傾斜角を第１傾斜角θ１、第２側面２１の側から側面視した場合における第２切刃３７の副基準面Ｓ２に対する傾斜角を第２傾斜角θ２とする。このとき、第１傾斜角θ１が第２傾斜角θ２より小さくてもよい。
【００５７】
第１傾斜角θ１及び第２傾斜角θ２が上記の関係である場合には、切屑の排出性が高い。第１傾斜角θ１が相対的に小さい場合には、第１切刃３５で生じた切屑が第２端１ｂに向かって流れ易い。また、第２傾斜角θ２が相対的に大きい場合には、第２切刃３７で生じた切屑が第２端１ｂに向かって流れ易い。従って、第１切刃３５及び第２切刃３７で生じた切屑のそれぞれが、インサート１の第２端１ｂに向かって流れ易い。
【００５８】
上面１７は、第１角４９及び第２角５１を有してもよい。ここで、第１角４９は、第１稜線２７及び第２稜線２９が交わる部分に位置する角である。また、第２角５１は、第１稜線２７及び第３稜線３３が交わる部分に位置する角である。
【００５９】
なお、第１角４９及び第２角５１は、厳密な意味での角である必要はない。第１角４９及び第２角５１は、巨視的に見た場合に角であればよく、微視的に見た場合には、図６に示す限定されない一例のように凸曲線形状であってもよい。
【００６０】
さらに、一対の突起４３は、上面視した場合に、第１角４９のコーナ二等分線Ｌ１上に位置する第１突起５３と、第２角５１のコーナ二等分線Ｌ２上に位置する第２突起５５と、を有してもよい。例えば、図６に示す限定されない一例においては、一対の突起４３の一方が第１突起５３であり、一対の突起４３のもう一方が第２突起５５である。
【００６１】
一対の突起４３が、第１角４９のコーナ二等分線Ｌ１上に位置する第１突起５３を有する場合には、第１切刃３５で生じた切屑と、第２切刃３７で生じた切屑と、がぶつかって詰まるおそれが小さい。そのため、切屑の排出性が高い。また、一対の突起４３が、第２角５１のコーナ二等分線Ｌ２上に位置する第２突起５５を有する場合には、第１切刃３５で生じた切屑と、第３切刃３９で生じた切屑とが、ぶつかって詰まるおそれが小さい。そのため、切屑の排出性が高い。
【００６２】
一対の突起４３が第１突起５３を有する場合において、この第１突起５３は、第１前突起５３ａ及び第１横突起５３ｂを有してもよい。図６に示す限定されない一例のように、第１前突起５３ａは、上面視した場合に、第１角４９のコーナ二等分線Ｌ１よりも概ね第１稜線２７の側に位置し、第１稜線２７に向かって延びてもよい。
【００６３】
また、図６に示す限定されない一例のように第１横突起５３ｂは、上面視した場合に、第１角４９のコーナ二等分線Ｌ１よりも概ね第２稜線２９の側に位置し、第２稜線２９に向かって延びている。
【００６４】
第１突起５３が第１前突起５３ａを有する場合には、この第１前突起５３ａによって、第１切刃３５で生じた切屑が第１切刃３５に直交する方向から見た場合において湾曲し易い。そのため、第１切刃３５で生じた切屑の進行方向が安定し易い。また、第１突起５３が第１横突起５３ｂを有する場合には、この第１横突起５３ｂによって、第２切刃３７で生じた切屑が第２切刃３７に直交する方向から見た場合において湾曲し易い。そのため、第２切刃３７で生じた切屑の進行方向が安定し易い。
【００６５】
第１突起５３が第１前突起５３ａ及び第１横突起５３ｂを有する場合には、第１切刃３５で生じた切屑及び第２切刃３７で生じた切屑のそれぞれを安定して湾曲させることができる。そのため、第１切刃３５又は第２切刃３７のいずれを主として用いる切削加工においても切屑の排出性が高い。従って、第１突起５３が第１前突起５３ａ及び第１横突起５３ｂを有している場合には、インサート１は切削加工の汎用性の高い。
【００６６】
また、第１突起５３が第１前突起５３ａ及び第１横突起５３ｂを有する場合において、第１前突起５３ａ及び第１横突起５３ｂの高さは特に限定されない。例えば、図１３に示す限定されない一例のように、第１前突起５３ａの上端５３ａａが、第１横突起５３ｂの上端５３ｂａより上方に位置してもよい。第１前突起５３ａ及び第１横突起５３ｂが上記の構成である場合には、切屑の排出性がさらに高い。
【００６７】
例えば、第１前突起５３ａの上端５３ａａが第１横突起５３ｂの上端５３ｂａより上方に位置する場合には、第１切刃３５で生じて第１前突起５３ａの上を進行する切屑が第１横突起５３ｂを乗り越え易い。そのため、第１切刃３５で生じた切屑が第２端１ｂに向かって流れ易い。
【００６８】
また、第１前突起５３ａの上端５３ａａが第１横突起５３ｂの上端５３ｂａより上方に位置する場合には、第２切刃３７で生じて第１横突起５３ｂの上を進行する切屑が第１前突起５３ａに接触し易い。第２切刃３７で生じた切屑が第１前突起５３ａに接触することによって、第２切刃３７で生じた切屑が第２側面２１の反対側、すなわち第３側面２３の側に過度に進み過ぎることが避けられる。そのため、この切屑が第２端１ｂに向かって排出され易い。
【００６９】
一対の突起４３が第２突起５５を有する場合において、この第２突起５５は、第２前突起５５ａ及び第２横突起５５ｂを有してもよい。図６に示す限定されない一例のように、第２前突起５５ａは、上面視した場合に、第２角５１のコーナ二等分線Ｌ２よりも概ね第１稜線２７の側に位置し、第１稜線２７に向かって延びてもよい。
【００７０】
また、図６に示す限定されない一例のように、第２横突起５５ｂは、上面視した場合に、第２角５１のコーナ二等分線Ｌ２よりも概ね第３稜線３３の側に位置し、第３稜線３３に向かって延びてもよい。
【００７１】
第２突起５５が第２前突起５５ａを有する場合には、この第２前突起５５ａによって、第１切刃３５で生じた切屑が第１切刃３５に直交する方向から見た場合において湾曲し易い。そのため、第１切刃３５で生じた切屑の進行方向が安定し易い。また、第２突起５５が第２横突起５５ｂを有する場合には、この第２横突起５５ｂによって、第３切刃３９で生じた切屑が第３切刃３９に直交する方向から見た場合において湾曲し易い。そのため、第３切刃３９で生じた切屑の進行方向が安定し易い。
【００７２】
第２突起５５が第２前突起５５ａ及び第２横突起５５ｂを有する場合には、第１切刃３５で生じた切屑及び第３切刃３９で生じた切屑のそれぞれを安定して湾曲させることができる。そのため、第１切刃３５又は第３切刃３９のいずれを主として用いる切削加工においても切屑の排出性が高い。従って、第２突起５５が第２前突起５５ａ及び第２横突起５５ｂを有する場合には、インサート１は切削加工の汎用性の高い。
【００７３】
また、第２突起５５が第２前突起５５ａ及び第２横突起５５ｂを有する場合において、第２前突起５５ａ及び第２横突起５５ｂの高さは特に限定されない。図１４に示す限定されない一例のように、第２前突起５５ａの上端５５ａａが、第２横突起５５ｂの上端５５ｂａより上方に位置してもよい。第２前突起５５ａ及び第２横突起５５ｂが上記の構成である場合には、切屑の排出性がさらに高い。
【００７４】
例えば、第２前突起５５ａの上端５５ａａが第２横突起５５ｂの上端５５ｂａより上方に位置する場合には、第１切刃３５で生じて第２前突起５５ａの上を進行する切屑が第２横突起５５ｂを乗り越え易い。そのため、第１切刃３５で生じた切屑が第２端１ｂに向かって流れ易い。
【００７５】
また、第２前突起５５ａの上端５５ａａが第２横突起５５ｂの上端５５ｂａより上方に位置する場合には、第３切刃３９で生じて第２横突起５５ｂの上を進行する切屑が第２前突起５５ａに接触し易い。第３切刃３９で生じた切屑が第２前突起５５ａに接触することによって、第３切刃３９で生じた切屑が第３側面２３の反対側、すなわち第２側面２１の側に過度に進み過ぎることが避けられる。そのため、この切屑が第２端１ｂに向かって排出され易い。
【００７６】
上面１７は、上面視した場合に、第１隆起部４５及び第３稜線３３の間において第３稜線３３に沿って位置する第２隆起部５７をさらに有してもよい。図５に示す限定されない一例のように、上面１７が第２隆起部５７を有する時には、第２切刃３７で生じた切屑が、第１隆起部４５を乗り越えた場合であっても、第２隆起部５７において上記の切屑を湾曲させることができる。そのため、切屑の排出性が高い。
【００７７】
特に、第２隆起部５７の上端５７ａが、第１隆起部４５の上端４５ａよりも上方に位置する場合には、第２隆起部５７において上記の切屑を安定して湾曲させることができる。そのため、切屑の排出性がさらに高い。
【００７８】
図６に示す限定されない一例のように、上面１７が第２隆起部５７を有する場合において、第２隆起部５７における第１端１ａの側の端部５７ｂが、第１隆起部４５における第１端１ａの側の端部４５ｂより第１稜線２７から離れて位置してもよい。第１隆起部４５及び第２隆起部５７が上記のように位置する場合には、第３切刃３９で生じた切屑が第１隆起部４５に安定して接触し易い。
【００７９】
また、上面１７が第２隆起部５７を有する場合において、この第２隆起部５７は、図６に示す限定されない一例のように第３稜線３３に接してもよく、また、第３稜線３３から離れてもよい。
【００８０】
インサート１の材質としては、例えば、超硬合金、サーメット及びセラミックスなどの無機材料が挙げられる。超硬合金の組成としては、例えば、ＷＣ（炭化タングステン）−Ｃｏ、ＷＣ−ＴｉＣ（炭化チタン）−Ｃｏ及びＷＣ−ＴｉＣ−ＴａＣ（炭化タンタル）−Ｃｏが挙げられる。ここで、ＷＣ、ＴｉＣ及びＴａＣは硬質粒子であり、Ｃｏは結合相である。また、サーメットは、セラミック成分に金属を複合させた焼結複合材料である。具体的には、サーメットとして、ＴｉＣ又はＴｉＮ（窒化チタン）を主成分とした化合物が挙げられる。インサート１の材質がこれらに限定されないことは言うまでもない。
【００８１】
また、インサート１は、上記の材質を含有する本体及びこの本体を被覆する被覆層を備えた構成であってもよい。被覆層の材質としては、例えば、チタンの炭化物、窒化物、酸化物、炭酸化物、窒酸化物、炭窒化物及び炭窒酸化物などが挙げられる。被覆層は、上記の材質のうち１つのみを含有してもよく、複数を含有してもよい。また、被覆層は、１つのみの層によって構成されてもよく、複数の層が積層された構成であってもよい。なお、被覆層の材質は、これらに限定されない。
【００８２】
被覆層は、化学蒸着（ＣＶＤ）法又は物理蒸着（ＰＶＤ）法を用いることによって、基体の上に位置させることができる。例えば、貫通孔１１の内周面で基体を保持した状態で上記の蒸着法を利用して被覆層を形成する場合には、貫通孔１１の内周面を除く基体の表面の全体を覆うように被覆層を位置させることができる。
【００８３】
＜切削工具＞
次に、実施形態の切削工具１０１について図面を用いて説明する。
【００８４】
実施形態の切削工具１０１は、図１５に示すように、先端（図１５における左下端）から後端（図１５における右上端）に向かって延びる棒状体であり、先端側に位置するポケット１０３を有するホルダ１０５と、ポケット１０３内に位置する上記のインサート１とを備えてもよい。
【００８５】
ポケット１０３は、インサート１が装着される部分であり、ホルダ１０５の第２主面に対して平行な着座面と、着座面に対して傾斜する拘束側面とを有してもよい。また、ポケット１０３は、ホルダ１０５の先端側において開口してもよい。
【００８６】
ポケット１０３にはインサート１が位置してもよい。このとき、インサート１の基体部がポケット１０３に直接に接してもよく、また、インサート１とポケット１０３との間にシートを挟んでもよい。
【００８７】
インサート１は、切削部における切刃として用いられる部分の少なくとも一部がホルダ１０５から外方に突出するように装着されてもよい。実施形態においては、インサート１は、ネジ１０７によって、ホルダ１０５に装着されている。
【００８８】
ホルダ１０５の部材として、鋼、鋳鉄などが用いられてもよい。特に、これらの部材の中で鋼が用いられた場合には、ホルダ１０５の靱性が高い。
【００８９】
図１５に示す限定されない一例においては、いわゆる旋削加工に用いられる切削工具が示されている。実施形態の切削工具１０１は、溝入れ加工において用いられることが可能であるが、このような加工に限定されない。例えば、実施形態の切削工具１０１が、内径加工、外径加工及び横送り加工に用いられても何ら問題ない。
【００９０】
＜切削加工物の製造方法＞
次に、限定されない複数の実施形態の切削加工物の製造方法について図面を用いて説明する。
【００９１】
切削加工物は、被削材２０１を切削加工することによって作製され得る。本開示の限定されない実施形態における切削加工物の製造方法は、以下の工程を備えてもよい。すなわち、
（１）被削材２０１を回転させる工程と、
（２）回転している被削材２０１に上記の実施形態に代表される切削工具１０１を接触させる工程と、
（３）切削工具１０１を被削材２０１から離す工程と、
を備えている。
【００９２】
より具体的には、まず、図１７に示すように、被削材２０１を軸Ｏ１の周りで回転させるとともに、被削材２０１に切削工具１０１を相対的に近付ける。次に、図１８及び図１９に示すように、切削工具１０１における稜線（切刃）を被削材２０１に接触させて、被削材２０１を切削する。そして、図２０に示すように、切削工具１０１を被削材２０１から相対的に遠ざける。
【００９３】
図１７においては、軸Ｏ１を固定するとともに被削材２０１を軸Ｏ１の周りで回転させた状態で切削工具１０１をＹ１方向に移動させることによって被削材２０１に近づけている。また、図１８及び図１９においては、回転している被削材２０１にインサート１における切刃を接触させることによって被削材２０１を切削している。また、図２０においては、被削材２０１を回転させた状態で切削工具１０１をＹ２方向に移動させることによって遠ざけている。
【００９４】
なお、実施形態の製造方法における切削加工では、それぞれの工程において、切削工具１０１を動かすことによって、切削工具１０１を被削材２０１に接触させる、あるいは、切削工具１０１を被削材２０１から離しているが、当然ながらこのような形態に限定されない。
【００９５】
例えば、（１）の工程において、被削材２０１を切削工具１０１に近づけてもよい。同様に、（３）の工程において、被削材２０１を切削工具１０１から遠ざけてもよい。切削加工を継続する場合には、被削材２０１を回転させた状態を維持して、被削材２０１の異なる箇所にインサート１における切刃を接触させる工程を繰り返せばよい。
【００９６】
なお、被削材２０１の材質の代表例としては、炭素鋼、合金鋼、ステンレス、鋳鉄、又は非鉄金属などが挙げられる。
【符号の説明】
【００９７】
１・・・インサート
３・・・基体部
５・・・切削部
７・・・第１主面
９・・・第２主面
１１・・・貫通孔
１３・・・上側面
１５・・・下側面
１７・・・上面
１９・・・第１側面
２１・・・第２側面
２３・・・第３側面
２５・・・下面
２７・・・第１稜線
２９・・・第２稜線
３３・・・第３稜線
３５・・・第１切刃
３７・・・第２切刃
３９・・・第３切刃
４１・・・第１傾斜面
４３・・・一対の突起
４３ａ・・上端
４５・・・第１隆起部
４５ａ・・上端
４５ｂ・・端部
４７・・・上端面
４９・・・第１角
５１・・・第２角
５３・・・第１突起
５３ａ・・・第１前突起
５３ａａ・・上端
５３ｂ・・・第１横突起
５３ｂａ・・上端
５５・・・第２突起
５５ａ・・・第２前突起
５５ａａ・・上端
５５ｂ・・・第２横突起
５５ｂａ・・上端
５７・・・第２隆起部
５７ａ・・上端
５７ｂ・・端部
１０１・・・切削工具
１０３・・・ポケット
１０５・・・ホルダ
１０７・・・ネジ
２０１・・・被削材
【図１】
2020009002.tif 000003
【図２】
2020009002.tif 000004
【図３】
2020009002.tif 000005
【図４】
2020009002.tif 000006
【図５】
2020009002.tif 000007
【図６】
2020009002.tif 000008
【図７】
2020009002.tif 000009
【図８】
2020009002.tif 000010
【図９】
2020009002.tif 000011
【図１０】
2020009002.tif 000012
【図１１】
2020009002.tif 000013
【図１２】
2020009002.tif 000014
【図１３】
2020009002.tif 000015
【図１４】
2020009002.tif 000016
【図１５】
2020009002.tif 000017
【図１６】
2020009002.tif 000018
【図１７】
2020009002.tif 000019
【図１８】
2020009002.tif 000020
【図１９】
2020009002.tif 000021
【図２０】
2020009002.tif 000022
【国際調査報告】
2020009002.tif 000023
2020009002.tif 000024
2020009002.tif 000025
2020009002.tif 000026